(57)【要約】      （修正有）【課題】弾痕の穴があいた標的を交換することなく引き続き使用可能とする標的補修紙を提供する。【解決手段】ピストル射撃に使用する紙製で、複数の同心円１１を描いた標的１０に貼り付け、標的１０にあけられた弾痕の穴を塞いで補修する標的補修紙２０であり、少なくとも、直角をなす第一角部２１を有する。また、おもて面には、第一角部２１を標的１０の中心１０ａに合わせた状態で、複数の同心円１１のうち、少なくとも最小円（最小径の円）１１ａの１／４円弧と重なる同一円弧Ｓを描いている。また、裏面には、標的１０に貼着する粘着層を設けている。【選択図】図１
0003155858.tif 000002
【実用新案登録請求の範囲】
【請求項１】
ピストル射撃に使用する紙製で，複数の同心円（１１）を描いた標的（１０）に貼り付け，前記標的にあけられた弾痕の穴（Ｈ）を塞いで補修する補修紙であり、少なくとも，直角をなす第一角部（２１）を有し、おもて面（２０ａ）には，前記第一角部（２１）を前記標的の中心（１０ａ）に合わせた状態で，前記複数の同心円のうち，少なくとも最小円（１１ａ）の１／４円弧（Ｃ）と重なる同一円弧（Ｓ）が描かれ、裏面（２０ｂ）には，前記標的に貼着する粘着層（２６）が設けられていることを特徴とする標的補修紙。
【請求項２】
ピストル射撃に使用する紙製で，複数の同心円（１１）を描いた標的（１０）に貼り付け，前記標的にあけられた弾痕の穴（Ｈ）を塞いで補修する正方形状補修紙（２０）であり，おもて面（２０ａ）には，第一角部（２１）を前記標的の中心（１０ａ）に合わせた状態で，最小円（１１ａ）の１／４円弧（Ｃ）と重なる同一円弧（Ｓ）が描かれ，裏面（２０ｂ）には，前記標的に貼着する粘着層（２６）が設けられていることを特徴とする標的セット。
【考案の詳細な説明】
【技術分野】
【０００１】
本考案は、ピストル射撃の標的にあいた弾痕の穴を補修する標的補修紙に関するものである。
【背景技術】
【０００２】
従来、フリーピストル競技などのピストル射撃の的として紙製の標的が多く使用されている。この標的は、弾が当たると穴があくので、再度、同一箇所あるいは近接箇所に弾が当たると点数を正確に採点できないという問題がある。特に、弾が集中する標的の中心部分においてそうした傾向が強い。
【考案の概要】
【考案が解決しようとする課題】
【０００３】
正確な採点ができないといった問題を解決するためには、標的を頻繁に交換する必要があるが、標的の弾が集中する中心部分を除く部分は弾痕の穴が少なく、引き続き使用することができるため、標的の頻繁な交換は非経済的である。
【０００４】
本考案はこうした問題に鑑み創案されたもので、弾痕の穴があいた標的を交換することなく引き続き使用可能とする標的補修紙を提供することを課題とする。
【課題を解決するための手段】
【０００５】
図１乃至図５を参照して説明する。なお、図１における数字「７」、「８」、「９」は、標的１０に記載された点数を示す。請求項１に記載の標的補修紙２０は、ピストル射撃に使用する紙製で、複数の同心円１１を描いた標的１０に貼り付け、前記標的１０にあけられた弾痕の穴Ｈを塞いで補修するものである。
【０００６】
この標的補修紙２０は、少なくとも、直角をなす第一角部２１を有し、おもて面２０ａには、前記第一角部２１を前記標的１０の中心１０ａに合わせた状態で、前記複数の同心円１１のうち、少なくとも最小円（最小径の円）１１ａの１／４円弧Ｃと重なる同一円弧Ｓが描かれ、裏面２０ｂには、前記標的１０に貼着する粘着層２６が設けられていることを特徴とする。
【０００７】
請求項２に記載の標的セット１は、ピストル射撃に使用する紙製で、複数の同心円１１を描いた標的１０に貼り付け、前記標的１０にあけられた弾痕の穴Ｈを塞いで補修する正方形状補修紙２０であり、おもて面２０ａには、第一角部２１を前記標的１０の中心１０ａに合わせた状態で、最小円１１ａの１／４円弧Ｃと重なる同一円弧Ｓが描かれ、裏面２０ｂには、前記標的１０に貼着する粘着層２６が設けられていることを特徴とする。
【考案の効果】
【０００８】
請求項１に記載の標的補修紙２０は、そのおもて面２０ａには、第一角部２１を標的１０の中心１０ａに合わせた状態で、複数の同心円１１のうち、少なくとも最小円１１ａの１／４円弧Ｃと重なる同一円弧Ｓが描かれ、また、裏面２０ｂには、標的１０に貼着する粘着層２６が設けられているので、この補修紙２０を標的１０に貼着することで、最も弾痕の穴Ｈがあき易い標的１０の中心部分を簡単に補修することができる。これにより、標的１０の交換頻度を低減して、経済性の向上を図ることができる。
【０００９】
請求項２に記載の正方形状をした標的補修紙２０は、そのおもて面２０ａには、第一角部２１を標的１０の中心１０ａに合わせた状態で、最小円１１ａの１／４円弧Ｃと重なる同一円弧Ｓが描かれ、また、裏面２０ｂには、標的１０に貼着する粘着層２６が設けられているので、この補修紙２０を標的１０に貼着することで、最も弾痕の穴Ｈがあき易い標的１０の中心部分を簡単に補修することができる。これにより、標的１０を交換する頻度を低減することができるので、経済性の向上を図ることができる。
【図面の簡単な説明】
【００１０】
【図１】本考案に係る標的補修紙を標的に貼着した状態を示す正面図である。
【図２】図１の部分拡大図である。
【図３】図１に示す標的補修紙の側面図である。
【図４】図１に示す標的補修紙を、標的の中心部分に四枚貼着した状態を示す正面図である。
【図５】本考案に係る標的補修紙の他の形態を示す正面図である。
【考案を実施するための形態】
【００１１】
本考案に係る標的補修紙２０の実施形態を、図１乃至図５に示す。これは、フリーピストル射撃の的として使用する肉薄の紙製で、複数の同心円１１を描いた標的１０に貼り付け、その標的１０にあけられた弾痕の穴Ｈを塞いで補修するものである。
【００１２】
この標的補修紙２０は、肉薄の矩形状で、そのおもて面２０ａには、第一角部２１を標的１０の中心１０ａに合わせた状態で、複数の同心円１１のうち、最小円（最小径の円）１１ａの１／４円弧Ｃと重なる同一円弧Ｓを描いている。
【００１３】
すなわち、当該標的補修紙２０は、第一角部２１に隣接する第二角部２２と第四角部２４、および対向する第三角部２３を含む全体が、最小円１１ａの外周側に隣接する第二円１１ｂの円弧を覆い隠さない大きさに設定している。従って、一枚の標的補修紙２０によって、最小円１１ａの面積の１／４と、第二円１１ｂと最小円１１ａの間部分の面積の１／４のほぼ半分を覆い隠すことができる。
【００１４】
また、四枚の標的補修紙２０を、それぞれの第一角部２１を中心１０ａに合わせると共に、隣接する補修紙２０の直角辺２５（標的１０の中心１０ａから直角径方向に伸びる二本の辺）同士を突き合わせることによって、標的１０の中心部分の全体を覆い隠し、その中心部分にあけられた弾痕の穴Ｈを塞ぐことができる（図４参照）。
【００１５】
なお、この標的補修紙２０は、第二円１１ｂ（およびその外周側に隣接する第三円１１ｃ）の円弧を覆い隠す大きさに設定することもできる。その場合、おもて面２０ａに、第二円１１ｂ（および第三円１１ｃ）の１／４円弧Ｃに重なる同一円弧Ｓを描く必要がある。
【００１６】
本実施形態における標的補修紙２０は矩形状に設定しているが、これに限定されるものではなく、例えば、扇形状に設定することもできる（図５参照）。
【００１７】
なお、この標的補修紙２０の裏面２０ｂには、標的１０に貼着する粘着層２６を貼り付けている。粘着層２６は粘着テープで構成することができるが、その他の粘着材を適用することもできる。
【００１８】
本実施形態に係る標的補修紙２０は、上記した構成としているので、最も弾痕の穴Ｈがあき易い標的１０の中心部分に貼り付けるのみで、当該弾痕の穴Ｈを覆い隠すことができ、これにより、標的１０をきわめて簡単に補修することができる。その結果、標的１０の交換回数の頻度を低減することができるので、繰り返し使用することができ、経済性を高めることができる。
【符号の説明】
【００１９】
１０        標的
１０ａ      中心
１１        同心円
１１ａ      最小円
１１ｂ      第二円
１１ｃ      第三円
２０        標的補修紙
２０ａ      おもて面
２０ｂ      裏面
２１        第一角部
２２        第二角部
２３        第三角部
２４        第四角部
２５        直角辺
２６        粘着層
Ｃ          １／４円弧
Ｓ          同一円弧
Ｈ          穴
【図１】
0003155858.tif 000003
【図２】
0003155858.tif 000004
【図３】
0003155858.tif 000005
【図４】
0003155858.tif 000006
【図５】
0003155858.tif 000007